(57)【特許請求の範囲】
【請求項１】
LTEに従って無線通信を行うユーザ端末に、メッセージを配信するメッセージ配信システムであって、
当該メッセージ配信システムは、セル報知センタと、基地局とを有し、
前記セル報知センタは、
メッセージの配信を要求するためのメッセージ配信要求から、該メッセージ配信要求の発信元の識別子を取得する発信元識別子取得部と、
基地局によりメッセージが配信されるべき順番を制御するための優先度と対応付けられ、且つメッセージに付加すべきメッセージを識別するためのメッセージ識別情報と、メッセージ配信要求の発信元の識別子とを対応付けた第１のテーブルと、
該第１のテーブルから、前記発信元識別子取得部により取得された発信元の識別子に対応するメッセージ識別情報を選択するメッセージ識別情報選択部と、
該メッセージ識別情報選択部により選択されたメッセージ識別情報を含むメッセージを作成するメッセージ作成部と、
基地局に、前記メッセージ作成部により作成されたメッセージを送信する送信部と
を有し、
前記基地局は、
前記セル報知センタからのメッセージに含まれるメッセージ識別情報を取得するメッセージ識別情報取得部と、
メッセージ識別情報と、メッセージを配信すべき順番を制御するための優先度と対応付けた第２のテーブルと、
該第２のテーブルから、前記メッセージ識別情報取得部により取得されたメッセージ識別情報に対応する優先度を取得する優先度取得部と、
該優先度取得部により取得された優先度に従って、メッセージの配信順序を制御する配信制御部と
を有する、メッセージ配信システム。
【請求項２】
請求項１に記載のメッセージ配信システムにおいて、
前記メッセージ識別情報は、緊急メッセージが配信される際に、交換局から基地局へ通知されるべきメッセージに含まれる情報要素に含まれる、メッセージ配信システム。
【請求項３】
請求項２に記載のメッセージ配信システムにおいて、
前記メッセージ識別情報には、メッセージを識別するメッセージ識別子又はシリアルナンバが含まれる、メッセージ配信システム。
【請求項４】
LTEに従って無線通信を行うユーザ端末に、メッセージを配信する基地局であって、
セル報知センタからのメッセージに含まれるメッセージ識別情報を取得するメッセージ識別情報取得部と、
メッセージ識別情報と、メッセージを配信すべき順番を制御するための優先度と対応付けた第２のテーブルと、
該第２のテーブルから、前記メッセージ識別情報取得部により取得されたメッセージ識別情報に対応する優先度を取得する優先度取得部と、
該優先度取得部により取得された優先度に従って、メッセージの配信順序を制御する配信制御部と
を有し、
前記メッセージ識別情報は、メッセージの配信を要求するためのメッセージ配信要求の発信元の識別子に対応し、且つ該メッセージに付加すべきメッセージを識別するものである、基地局。
【請求項５】
LTEに従って無線通信を行うユーザ端末に、メッセージを配信するメッセージ配信システムにおけるメッセージ配信方法であって、
当該メッセージ配信システムは、セル報知センタと、基地局とを有し、
前記セル報知センタは、
メッセージの配信を要求するためのメッセージ配信要求から、該メッセージ配信要求の発信元の識別子を取得する発信元識別子取得ステップと、
基地局によりメッセージが配信されるべき順番を制御するための優先度と対応付けられ、且つメッセージに付加すべきメッセージを識別するためのメッセージ識別情報と、メッセージ配信要求の発信元の識別子とを対応付けた第１のテーブルから、前記発信元識別子取得ステップにより取得された発信元の識別子に対応するメッセージ識別情報を選択するメッセージ識別情報選択ステップと、
該メッセージ識別情報選択ステップにより選択されたメッセージ識別情報を含むメッセージを作成するメッセージ作成ステップと、
基地局に、前記メッセージ作成ステップにより作成されたメッセージを送信する送信ステップと
を有し、
前記基地局は、
前記セル報知センタからのメッセージに含まれるメッセージ識別情報を取得するメッセージ識別情報取得ステップと、
メッセージ識別情報と、メッセージを配信すべき順番を制御するための優先度と対応付けた第２のテーブルから、前記メッセージ識別情報取得ステップにより取得されたメッセージ識別情報に対応する優先度を取得する優先度取得ステップと、
該優先度取得ステップにより取得された優先度に従って、メッセージの配信順序を制御する配信制御ステップと
を有する、メッセージ配信方法。
【請求項６】
請求項５に記載のメッセージ配信方法において、
前記メッセージ識別情報は、緊急メッセージが配信される際に、交換局から基地局へ通知されるべきメッセージに含まれる情報要素に含まれる、メッセージ配信方法。
【請求項７】
請求項６に記載のメッセージ配信方法において、
前記メッセージ識別情報には、メッセージを識別するメッセージ識別子又はシリアルナンバが含まれる、メッセージ配信方法。
【請求項８】
LTEに従って無線通信を行うユーザ端末に、メッセージを配信する基地局におけるメッセージ配信方法であって、
セル報知センタからのメッセージに含まれるメッセージ識別情報を取得するメッセージ識別情報取得ステップと、
メッセージ識別情報と、メッセージを配信すべき順番を制御するための優先度と対応付けた第２のテーブルから、前記メッセージ識別情報取得ステップにより取得されたメッセージ識別情報に対応する優先度を取得する優先度取得ステップと、
該優先度取得ステップにより取得された優先度に従って、メッセージの配信順序を制御する配信制御ステップと
を有し、
前記メッセージ識別情報は、メッセージの配信を要求するためのメッセージ配信要求の発信元の識別子に対応し、且つ該メッセージに付加すべきメッセージを識別するものである、メッセージ配信方法。
【発明の詳細な説明】
【技術分野】
【０００１】
本発明は、移動局に緊急メッセージを配信するシステムに関する。
【背景技術】
【０００２】
LTE(Long Term Evolution)は、W-CDMA(Wideband-Code Division Multiple Access)の標準化団体3GPP(3rd Generation Partnership Project)にて、仕様が作成されている。LTEは、W-CDMAの拡張技術であるHSPA(High Speed Packet Access)から更に発展した標準規格である。LTEでは、下りリンクにおいて100Mbps以上、上りリンクにおいて50Mbps以上の高速通信が実現され、遅延の改善や周波数の利用効率向上などが図られる。
【０００３】
3GPPでは、地震津波警報システム(ETWS: Earthquake and Tsunami Warning System)が規定されている（例えば、非特許文献１、非特許文献2等）。
【先行技術文献】
【非特許文献】
【０００４】
【非特許文献１】TS25.419 V8.1.0(9.1.3 WRITE-REPLACE)
【非特許文献２】TS36.413 V8.10.0(8.12.1 Write-Replace Warning)
【発明の概要】
【発明が解決しようとする課題】
【０００５】
3Gにおける地震津波警報システムでは、情報要素にカテゴリ識別子が含まれ、該カテゴリ識別子により、配信すべきメッセージの優先度を識別することが可能であった。
【０００６】
しかし、LTEを対象とするETWSでは、3Gのカテゴリ識別子に相当する、配信すべきメッセージの優先度を識別するための情報要素が含まれていない。したがって、配信すべきメッセージの優先度を明確にすることができない。
【０００７】
そこで、本発明は上述した問題点に鑑みてなされたものであり、LTEを対象とした緊急メッセージ配信システムにおいて、配信すべきメッセージの情報要素を増加させることなく、配信すべきメッセージの優先制御を行うことにある。
【課題を解決するための手段】
【０００８】
本メッセージ配信システムは、
LTEに従って無線通信を行うユーザ端末に、メッセージを配信するメッセージ配信システムであって、
当該メッセージ配信システムは、セル報知センタと、基地局とを有し、
前記セル報知センタは、
メッセージの配信を要求するためのメッセージ配信要求から、該メッセージ配信要求の発信元の識別子を取得する発信元識別子取得部と、
基地局によりメッセージが配信されるべき順番を制御するための優先度と対応付けられ、且つメッセージに付加すべきメッセージを識別するためのメッセージ識別情報と、メッセージ配信要求の発信元の識別子とを対応付けた第１のテーブルと、
該第１のテーブルから、前記発信元識別子取得部により取得された発信元の識別子に対応するメッセージ識別情報を選択するメッセージ識別情報選択部と、
該メッセージ識別情報選択部により選択されたメッセージ識別情報を含むメッセージを作成するメッセージ作成部と、
基地局に、前記メッセージ作成部により作成されたメッセージを送信する送信部と
を有し、
前記基地局は、
前記セル報知センタからのメッセージに含まれるメッセージ識別情報を取得するメッセージ識別情報取得部と、
メッセージ識別情報と、メッセージを配信すべき順番を制御するための優先度と対応付けた第２のテーブルと、
該第２のテーブルから、前記メッセージ識別情報取得部により取得されたメッセージ識別情報に対応する優先度を取得する優先度取得部と、
該優先度取得部により取得された優先度に従って、メッセージの配信順序を制御する配信制御部と
を有する。
【０００９】
本基地局は、
LTEに従って無線通信を行うユーザ端末に、メッセージを配信する基地局であって、
セル報知センタからのメッセージに含まれるメッセージ識別情報を取得するメッセージ識別情報取得部と、
メッセージ識別情報と、メッセージを配信すべき順番を制御するための優先度と対応付けた第２のテーブルと、
該第２のテーブルから、前記メッセージ識別情報取得部により取得されたメッセージ識別情報に対応する優先度を取得する優先度取得部と、
該優先度取得部により取得された優先度に従って、メッセージの配信順序を制御する配信制御部と
を有し、
前記メッセージ識別情報は、メッセージの配信を要求するためのメッセージ配信要求の発信元の識別子に対応し、且つ該メッセージに付加すべきメッセージを識別するものである。
【００１０】
本メッセージ配信方法は、
LTEに従って無線通信を行うユーザ端末に、メッセージを配信するメッセージ配信システムにおけるメッセージ配信方法であって、
当該メッセージ配信システムは、セル報知センタと、基地局とを有し、
前記セル報知センタは、
メッセージの配信を要求するためのメッセージ配信要求から、該メッセージ配信要求の発信元の識別子を取得する発信元識別子取得ステップと、
基地局によりメッセージが配信されるべき順番を制御するための優先度と対応付けられ、且つメッセージに付加すべきメッセージを識別するためのメッセージ識別情報と、メッセージ配信要求の発信元の識別子とを対応付けた第１のテーブルから、前記発信元識別子取得ステップにより取得された発信元の識別子に対応するメッセージ識別情報を選択するメッセージ識別情報選択ステップと、
該メッセージ識別情報選択ステップにより選択されたメッセージ識別情報を含むメッセージを作成するメッセージ作成ステップと、
基地局に、前記メッセージ作成ステップにより作成されたメッセージを送信する送信ステップと
を有し、
前記基地局は、
前記セル報知センタからのメッセージに含まれるメッセージ識別情報を取得するメッセージ識別情報取得ステップと、
メッセージ識別情報と、メッセージを配信すべき順番を制御するための優先度と対応付けた第２のテーブルから、前記メッセージ識別情報取得ステップにより取得されたメッセージ識別情報に対応する優先度を取得する優先度取得ステップと、
該優先度取得ステップにより取得された優先度に従って、メッセージの配信順序を制御する配信制御ステップと
を有する。
【００１１】
本メッセージ配信方法は、
LTEに従って無線通信を行うユーザ端末に、メッセージを配信する基地局におけるメッセージ配信方法であって、
セル報知センタからのメッセージに含まれるメッセージ識別情報を取得するメッセージ識別情報取得ステップと、
メッセージ識別情報と、メッセージを配信すべき順番を制御するための優先度と対応付けた第２のテーブルから、前記メッセージ識別情報取得ステップにより取得されたメッセージ識別情報に対応する優先度を取得する優先度取得ステップと、
該優先度取得ステップにより取得された優先度に従って、メッセージの配信順序を制御する配信制御ステップと
を有し、
前記メッセージ識別情報は、メッセージの配信を要求するためのメッセージ配信要求の発信元の識別子に対応し、且つ該メッセージに付加すべきメッセージを識別するものである。
【発明の効果】
【００１２】
開示の実施例によれば、LTEを対象とした緊急メッセージ配信システムにおいて、配信すべきメッセージの情報要素を増加させることなく、配信すべきメッセージの優先制御を行うことができる。
【図面の簡単な説明】
【００１３】
【図１】本実施例に従ったシステムの一例を示す図である。
【図２】本実施例に従ったセル報知センタを示す機能ブロック図である。
【図３】本実施例に従った識別子・メッセージ識別子対応テーブルの一例を示す図である。
【図４】本実施例に従ったセル報知センタを示す機能ブロック図である。
【図５】本実施例に従ったメッセージ配信要求に含まれるべき情報要素の一例を示す図である。
【図６】本実施例に従った基地局を示す機能ブロック図である。
【図７】本実施例に従ったメッセージ識別子・優先度対応テーブルの一例を示す図である。
【図８】本実施例に従ったメッセージの配信順序の一例を示す図である。
【図９】本実施例に従った基地局を示す機能ブロック図である。
【図１０】本実施例に従ったシステムの動作を示すシーケンスチャートである。
【図１１】本実施例に従ったシステムにより設定されるべき情報要素の一例を示す図である。
【発明を実施するための形態】
【００１４】
次に、本発明を実施するための形態を、以下の実施例に基づき図面を参照しつつ説明する。
なお、実施例を説明するための全図において、同一機能を有するものは同一符号を用い、繰り返しの説明は省略する。
【００１５】
＜実施例＞
＜システム＞
本実施例に従った緊急メッセージを配信するシステム（以下、「緊急メッセージ配信システム」という）について説明する。該緊急メッセージ配信システムは、地震や、津波などを知らせる緊急メッセージを知らせる警報システムであってもよい。例えば、該警報システムには、地震・津波警報システムや、公衆警報システム(PWS: Public Warning System)が含まれる。本緊急メッセージ配信システムは、LTEに従って通信を行う。
【００１６】
図１は、本緊急メッセージ配信システムの一例を示す。
【００１７】
本緊急メッセージ配信システムには、セル報知エンティティ(CBE: Cell Broadcast Entity)５００が含まれる。CBE５００は、セル報知センタ４００に、メッセージを配信するように要求するためのメッセージ配信要求(Emergency Broadcast Request)を送信する。例えば、CBE５００は、気象庁、地方自治体などが有していてもよい。
【００１８】
本緊急メッセージ配信システムは、セル報知センタ(CBC: Cell Broadcast Center)４００が含まれる。なお、セル報知センタ４００は、セル報知エンティティ５００と同一筐体に実装されてもよい。CBC４００は、セル報知エンティティ５００からのメッセージ配信要求を解析し、配信先エリア、配信すべきメッセージを作成する。また、セル報知センタ４００は、配信すべきメッセージの優先度を判定する。セル報知センタ４００は、配信すべきメッセージの優先度に応じて、メッセージ配信要求に、該優先度に対応するメッセージ識別子を付加する。例えば、セル報知エンティティ５００から、メッセージ配信要求を受信した際に、該メッセージ配信要求の送信元であるセル報知エンティティ５００のIPアドレスと、当該セル報知センタ４００により管理されている情報に基づいて、メッセージ識別子を導出するようにしてもよい。該情報には、例えば、当該セル報知センタ４００により送信されるべきメッセージに含まれるべき情報要素が含まれる。例えば、該情報要素には、メッセージ識別子、シリアルナンバなどが含まれる。例えば、セル報知センタ４００は、IPアドレスと、メッセージ識別子とを関連付けて保持する。シリアルナンバと関連づけてもよい。セル報知センタ４００は、配信先エリアに対応する交換局(MME: Mobility Management Entity)３００に、メッセージ配信要求(Write Replace Warning Request)を送信する。該メッセージ配信要求には、配信先エリアを表す情報と、メッセージ識別子とが含まれる。
【００１９】
本緊急メッセージ配信システムは、交換局３００が含まれる。交換局３００は、セル報知センタ４００からのメッセージ配信要求に対して、プロトコル変換を行う。該交換局３００は、基地局(eNB: eNodeB)２００に、プロトコル変換されたメッセージ配信要求を転送する。また、例えば、交換局３００は、セル報知センタ４００からのメッセージ配信要求に対して、該セル報知センタ４００に、メッセージ配信応答(Write Replace Warning Response)を送信する。該メッセージ配信応答を受信したセル報知センタ４００は、セル報知エンティティ５００に、メッセージ配信応答(Emergency Broadcast Response)を送信する。
【００２０】
本緊急メッセージ配信システムには、基地局２００が含まれる。基地局２００は、交換局３００からのメッセージ配信要求に応じて、ユーザ端末(UE: User Equipment)１００に、メッセージを報知する。該メッセージには、緊急メッセージが含まれる。メッセージを報知する際に、基地局２００は、交換局３００からのメッセージ配信要求(Write Replace Warning Request)に含まれるメッセージ識別子に関連づけられた優先度と、配信中のメッセージのメッセージ識別子に関連づけられた優先度とを比較する。なお、配信中メッセージがなければ（すなわち、メッセージ配信が未完了のメッセージがなければ）、比較を行わなくてもよい。該比較結果に基づいて、メッセージ配信要求に含まれるメッセージ識別子に関連づけられた優先度より、配信中のメッセージのメッセージ識別子に関連づけられた優先度の方が高い場合、配信中のメッセージの配信を継続する。配信中のメッセージのメッセージ識別子に関連づけられた優先度より、メッセージ配信要求に含まれるメッセージ識別子に関連づけられた優先度の方が高い場合、配信中のメッセージの配信を中止し、メッセージ配信要求に対応するメッセージを配信する。
【００２１】
本緊急メッセージ配信システムでは、メッセージの配信順序に関する優先度と、メッセージ識別子とを対応付ける。さらに、メッセージ識別子と、メッセージの送信元のIPアドレスとを対応付ける。セル報知センタ４００は、メッセージの送信元のセル報知エンティティ５００のIPアドレスから、対応するメッセージ識別子を特定し、メッセージ配信要求に、該メッセージ識別子を含める。メッセージ配信要求にメッセージ識別子を含めることにより、基地局２００では、該メッセージ識別子に対応するメッセージの優先度を特定できる。したがって、別途、優先度を識別するための情報要素を要することなく、該特定された優先度に基づいて、基地局２００は、優先して配信すべきメッセージを優先して配信できる。
【００２２】
＜セル報知センタ＞
図２は、本実施例に従ったセル報知センタ４００を示す。
【００２３】
本セル報知センタ４００は、下りリンク信号受信部４０２を有する。該下りリンク信号受信部４０２は、例えば、セル報知エンティティ５００からの下りリンクの信号を受信する。該下りリンクの信号には、メッセージ配信要求(Emergency Broadcast Request)が含まれる。下りリンク信号受信部４０２は、受信した下りリンクの信号を制御部４０６に入力する。
【００２４】
本セル報知センタ４００は、上りリンク信号受信部４１４を有する。該上りリンク信号受信部４１４は、交換局３００からの信号を受信する。該信号には、メッセージ配信応答(Write Replace Warning Response)が含まれる。
【００２５】
本セル報知センタ４００は、情報管理部４１０を有する。該情報管理部４１０は、制御部４０６と接続される。該情報管理部４１０は、メッセージ配信要求(Emergency Broadcast Request)を送信すべきセル報知エンティティ５００に含まれる端末装置の識別子と、メッセージ配信要求(Write Replace Warning Request)に含めるべきメッセージ識別子との間の対応を表すテーブル（以下、「CBE識別子・メッセージ識別子対応テーブル」という）を格納する。例えば、端末装置の識別子として該端末装置のIPアドレスを使用するようにしてもよい。該メッセージ識別子は、メッセージの配信順序に関する優先度と対応付けられる。
【００２６】
図３は、CBE識別子・メッセージ識別子対応テーブルの一例を示す。
【００２７】
図３によれば、メッセージ配信要求の発信元のIPアドレスとして「X.X.X.X」と、メッセージ識別子(Message ID)として「AAAA」（１６進数表示；hex値）とが対応付けられる。
【００２８】
本セル報知センタ４００は、制御部４０６を有する。制御部４０６は、下りリンク信号受信部４０２と、上りリンク信号受信部４１４と、指示部４０８と、情報管理部４１０と接続される。制御部４０６は、下りリンク信号受信部４０２により入力された下りリンクの信号に含まれる発信元の端末装置の識別子を取得する。制御部４０６は、情報管理部４１０に格納されたCBE識別子・メッセージ識別子対応テーブルを参照し、下りリンクの信号の発信元の端末装置の識別子に対応するメッセージ識別子を選択する。制御部４０６は、下りリンクの信号に、該下りリンクの信号の発信元の端末装置の識別子に対応するメッセージ識別子を含め、指示部４０８に入力する。例えば、制御部４０６は、下りリンク信号受信部４０２からのメッセージ配信要求(Emergency Broadcast Request)の発信元の端末装置のIPアドレスを取得する。該制御部４０６は、情報管理部４１０に格納されたCBE識別子・メッセージ識別子対応テーブルを参照し、該IPアドレスに対応するメッセージ識別子を特定する。制御部４０６は、メッセージ配信要求(Write Replace Warning Request)に、メッセージ配信要求(Emergency Broadcast Request)の発信元の端末装置のIPアドレスに対応するメッセージ識別子を含めて、基地局２００に送信するように、指示部４０８に命令する。
【００２９】
また、制御部４０６は、セル報知エンティティ５００に、上りリンク信号受信部４１４からのメッセージ配信応答(Emergency Broadcast Response)を送信するように、指示部４０８に命令する。
【００３０】
図４は、制御部４０６の機能を示す。
【００３１】
制御部４０６の有する機能には、発信元識別子取得部４０６２により実行される機能が含まれる。該発信元識別子取得部４０６２は、下りリンク信号受信部４０２と接続される。該発信元識別子取得部４０６２は、下りリンク信号受信部４０２からの下りリンク信号に含まれる発信元の端末装置の識別子を取得する。例えば、識別子として、IPアドレスが取得されてもよい。該発信元識別子取得部４０６２は、メッセージ識別子選択部４０６４に、発信元の端末装置の識別子を入力する。
【００３２】
制御部４０６の有する機能には、メッセージ識別子選択部４０６４により実行される機能が含まれる。該メッセージ識別子選択部４０６４は、発信元識別子取得部４０６２と、情報管理部４１０と接続される。該メッセージ識別子選択部４０６４は、情報管理部４１０に格納されるべきCBE識別子・メッセージ識別子対応テーブルを参照し、発信元識別子取得部４０６２からの発信元の端末装置の識別子に対応するメッセージ識別子を選択する。該メッセージ識別子選択部４０６４は、下りリンク信号作成部４０６６に、発信元の端末装置の識別子に対応するメッセージ識別子を入力する。
【００３３】
制御部４０６の有する機能には、下りリンク信号作成部４０６６により実行される機能が含まれる。該下りリンク信号作成部４０６６は、メッセージ識別子選択部４０６４と、下りリンク信号受信部４０２と接続される。該下りリンク信号作成部４０６６は、下りリンク信号受信部４０２により入力されるべき下りリンク信号に、メッセージ識別子選択部４０６４により入力されるべきメッセージ識別子を含める。例えば、下りリンク信号作成部４０６６は、下りリンク信号受信部４０２により入力されるべきメッセージ配信要求(Emergency Broadcast Request)に、該メッセージ配信要求に基づいてメッセージ識別子選択部４０６４により選択されたメッセージ識別子を含める。
【００３４】
＜メッセージ配信要求＞
図５は、下りリンク信号作成部４０６６により作成されるメッセージ配信要求(Write Replace Warning Request)に含まれる情報要素の一例を示す。
【００３５】
該メッセージ配信要求には、メッセージ識別子(Message Identifier)が含まれる。該メッセージ識別子は、基地局２００においてメッセージを識別するために利用される。なお、メッセージ識別子は、基地局２００がユーザ端末１００に通知する情報である。
【００３６】
該メッセージ配信要求には、シリアルナンバ(Serial Number)が含まれる。該シリアルナンバは、基地局２００においてメッセージを識別するために利用される。なお、シリアルナンバは、基地局２００がユーザ端末１００に通知する情報である。
【００３７】
該メッセージ配信要求には、警告エリアリスト(Warning Area List)が含まれる。該警告エリアリストは、基地局２００においてメッセージを配信すべきエリアを特定するために利用される。
【００３８】
該メッセージ配信要求には、繰り返し周期(Repetition Period)が含まれる。該繰り返し周期は、基地局２００において配信周期を決定するために利用される。
【００３９】
該メッセージ配信要求には、配信回数(Number of Broadcast Requested)が含まれる。該配信回数は、基地局２００において配信回数を決定するために利用される。
【００４０】
該メッセージ配信要求には、警告タイプ(Warning Type)が含まれる。該警告タイプは、基地局２００がユーザ端末１００に通知する情報である。
【００４１】
該メッセージ配信要求には、警告セキュリティ情報(Warning Security Information)が含まれる。該警告セキュリティ情報は、基地局２００がユーザ端末１００に通知する情報である。
【００４２】
該メッセージ配信要求には、データコーディングスキーム(Data Coding Scheme)が含まれる。該データコーディングスキームは、基地局２００がユーザ端末１００に通知する情報である。
【００４３】
該メッセージ配信要求には、警告メッセージコンテンツ(Warning Message Contents)が含まれる。該警告メッセージコンテンツは、基地局２００がユーザ端末１００に通知する情報である。
【００４４】
該下りリンク信号作成部４０６６は、指示部４０８に、メッセージ識別子を含むメッセージ配信要求(Write Replace Warning Request)を入力する。
【００４５】
本セル報知センタ４００は、指示部４０８を有する。指示部４０８は、制御部４０６と接続される。指示部４０８は、制御部４０６による命令に従って、基地局２００に、該制御部４０６により入力されるべき下りリンク信号を送信する指示を行う。例えば、指示部４０８は、基地局２００に、該制御部４０６により入力されるべきメッセージ配信要求(Write Replace Warning Request)を送信する指示を行う。また、指示部４０８は、制御部４０６による命令に従って、セル報知エンティティ５００に、該制御部４０６により入力されるべき上りリンク信号を送信する指示を行う。例えば、指示部４０８は、セル報知エンティティ５００に、メッセージ配信応答(Emergency Broadcast Response)を送信する指示を行う。
【００４６】
本セル報知センタ４００は、上りリンク信号送信部４０４を有する。該上りリンク信号送信部４０４は、指示部４０８と接続される。該上りリンク信号送信部４０４は、指示部４０８による指示に従って、上りリンクの信号を送信する。例えば、該上りリンク信号送信部４０４は、指示部４０８による指示に従って、セル報知エンティティ５００に、メッセージ配信応答(Emergency Broadcast Response)を送信する。
【００４７】
本セル報知センタ４００は、下りリンク信号送信部４１２を有する。該下りリンク信号送信部４１２は、指示部４０８と接続される。該下りリンク信号送信部４１２は、指示部４０８による指示に従って、下りリンクの信号を送信する。例えば、該下りリンク信号送信部４１２は、指示部４０８による指示に従って、基地局２００に、メッセージ配信要求(Write Replace Warning Request)を送信する。
【００４８】
＜基地局＞
図６は、本実施例に従った基地局２００を示す。
【００４９】
本基地局２００は、下りリンク信号受信部２０２を有する。該下りリンク信号受信部２０２は、例えば、交換局３００からの下りリンクの信号を受信する。該下りリンクの信号には、メッセージ配信要求(Write Replace Warning Request)が含まれる。下りリンク信号受信部２０２は、受信した下りリンクの信号を制御部２０６に入力する。
【００５０】
本基地局２００は、上りリンク信号受信部２１４を有する。該上りリンク信号受信部２１４は、ユーザ端末１００からの無線信号を受信する。
【００５１】
本基地局２００は、情報管理部２１０を有する。該情報管理部２１０は、制御部２０６と接続される。該情報管理部２１０は、メッセージ配信要求(Write Replace Warning Request)に含まれるべきメッセージ識別子と、該メッセージ配信要求に応じて送信すべきメッセージの優先度との間の対応を表すテーブル（以下、「メッセージ識別子・優先度対応テーブル」という）を格納する。例えば、優先度として、「High（高い）」又は「Low（低い）」の２段階としてもよいし、３以上の優先度が設定されてもよい。
【００５２】
図７は、メッセージ識別子・優先度対応テーブルの一例を示す。図７によれば、メッセージ識別子として「1100(hex)」-「1103(hex)」が付加されたメッセージ配信要求に該当するメッセージの優先度は「high」（高い）と判定される。「hex」は16進数であることを表す。また、メッセージ識別子として「A001(hex)」-「AFFF(hex)」が付加されたメッセージ配信要求(Write Replace Warning Request)に該当するメッセージの優先度は「Normal」（標準）と判定される。
【００５３】
本基地局２００は、制御部２０６を有する。制御部２０６は、下りリンク信号受信部２０２と、上りリンク信号受信部２１４と、指示部２０８と、情報管理部２１０と接続される。制御部２０６は、下りリンク信号受信部２０２により入力された下りリンクの信号に含まれるメッセージ識別子を取得する。制御部２０６は、情報管理部２１０に格納されたメッセージ識別子・優先度対応テーブルを参照し、下りリンクの信号に含まれるメッセージ識別子に対応する優先度を取得する。制御部２０６は、該優先度と、配信中のメッセージの優先度とに基づいて、メッセージを配信する順番を制御する。
【００５４】
図８は、メッセージの配信順序の一例を表す。
【００５５】
制御部２０６は、メッセージ(先発)の配信中に、下りリンク信号受信部２０２からメッセージ配信要求(Write Replace Warning Request)が入力された場合、該メッセージ配信要求に対応する優先度と、配信中のメッセージに対応する優先度とを比較する。
【００５６】
制御部２０６は、配信中のメッセージの優先度が「High」であり、メッセージ配信要求(Write Replace Warning Request)に対応する優先度が「High」である場合、配信中のメッセージの配信を継続し、メッセージ配信要求に対応するメッセージの配信を待ち合わせる。両方のメッセージとも優先度が高いため、配信順序を変更する必要がないためである。
【００５７】
制御部２０６は、配信中のメッセージの優先度が「High」であり、メッセージ配信要求(Write Replace Warning Request)に対応する優先度が「Normal」である場合、配信中のメッセージの配信を継続し、メッセージ配信要求に対応するメッセージの配信を待ち合わせる。配信中のメッセージの優先度の方が高いため、配信中のメッセージを優先して配信する必要があるためである。
【００５８】
制御部２０６は、配信中のメッセージの優先度が「Normal」であり、メッセージ配信要求(Write Replace Warning Request)に対応する優先度が「High」である場合、配信中のメッセージの配信を中止し、メッセージ配信要求に対応するメッセージの配信を実行する。メッセージ配信要求に対応するメッセージの優先度の方が高いため、メッセージ配信要求に対応するメッセージを優先して配信する必要があるためである。なお、中止された配信中のメッセージは、優先して配信したメッセージ配信要求に対応するメッセージの配信が完了した後に、中止状態を解除して、配信を再開してもよい。
【００５９】
制御部２０６は、配信中のメッセージの優先度が「Normal」であり、メッセージ配信要求(Write Replace Warning Request)に対応する優先度が「Normal」である場合、配信中のメッセージの配信を継続し、メッセージ配信要求に対応するメッセージの配信を待ち合わせる。両方のメッセージとも優先度が同じであるため、配信順序を変更する必要がないためである。
【００６０】
＜基地局の機能の詳細＞
図９は、制御部２０６の機能を示す。
【００６１】
制御部２０６の有する機能には、メッセージ識別子取得部２０６２により実行される機能が含まれる。該メッセージ識別子取得部２０６２は、下りリンク信号受信部２０２と接続される。該メッセージ識別子取得部２０６２は、下りリンク信号受信部２０２からの下りリンク信号に含まれるメッセージ識別子を取得する。例えば、メッセージ配信要求(Write Replace Warning Request)に含まれるメッセージ識別子が取得されてもよい。該メッセージ識別子取得部２０６２は、優先度取得部２０６４に、メッセージ識別子を入力する。
【００６２】
制御部２０６の有する機能には、優先度取得部２０６４により実行される機能が含まれる。該優先度取得部２０６４は、メッセージ識別子取得部２０６２と、情報管理部２１０と接続される。該優先度取得部２０６４は、情報管理部２１０に格納されるべきメッセージ識別子・優先度対応テーブルを参照し、メッセージ識別子取得部２０６２からのメッセージ識別子に対応する優先度を選択する。該優先度取得部２０６４は、配信メッセージ選択部２０６６に、メッセージ識別子に対応する優先度を入力する。
【００６３】
制御部２０６の有する機能には、配信メッセージ選択部２０６６により実行される機能が含まれる。該配信メッセージ選択部２０６６は、優先度選択部２０６４と接続される。該配信メッセージ選択部２０６６には、配信中のメッセージの優先度を表す情報が入力される。該配信メッセージ選択部２０６６は、優先度取得部２０６４により入力されるべき優先度と、配信中のメッセージの優先度とを比較する。なお、配信中メッセージがなければ（すなわち、メッセージ配信が未完了のメッセージがなければ）、比較を行わなくてもよい。該配信メッセージ選択部２０６６は、配信中のメッセージの優先度よりも、優先度取得部２０６４により入力された優先度の方が高い場合、配信中のメッセージの配信を中止し、下りリンク信号受信部２０２により入力されるべき下りリンクの信号を送信するように指示部２０８に命令する。該配信メッセージ選択部２０６６は、優先度取得部２０６４により入力された優先度よりも、配信中のメッセージの優先度の方が高い場合、配信中のメッセージの配信を継続するように指示部２０８に命令する。
【００６４】
本基地局２００は、指示部２０８を有する。指示部２０８は、制御部２０６と接続される。
【００６５】
指示部２０８は、制御部２０６による命令に従って、ユーザ端末１００に、該制御部２０６により入力されるべき下りリンク信号を送信する指示を行う。例えば、指示部２０８は、ユーザ端末１００に、該制御部２０６により入力されるべきメッセージを配信する指示を行う。
【００６６】
また、指示部２０８は、制御部２０６による命令に従って、交換局３００に、該制御部２０６により入力されるべき上りリンク信号を送信する指示を行う。
【００６７】
本基地局２００は、上りリンク信号送信部２０４を有する。該上りリンク信号送信部２０４は、指示部２０８と接続される。該上りリンク信号送信部２０４は、指示部２０８による指示に従って、上りリンクの信号を送信する。例えば、該上りリンク信号送信部２０４は、指示部２０８による指示に従って、交換局３００に、メッセージ配信応答(Write Replace Warning Response)を送信する。
【００６８】
本基地局２００は、下りリンク信号送信部２１２を有する。該下りリンク信号送信部２１２は、指示部２０８と接続される。該下りリンク信号送信部２１２は、指示部２０８による指示に従って、下りリンクの信号を送信する。例えば、該下りリンク信号送信部２１２は、指示部２０８による指示に従って、ユーザ端末１００に、メッセージ（報知情報：System Information Block10、System Information Block11）を配信する。
【００６９】
＜本システムの動作＞
図１０は本緊急メッセージ配信システムの動作の一例を示すシーケンスチャートである。
【００７０】
セル報知エンティティ５００は、地震・津波発生を検出する（ステップＳ１００２）。
【００７１】
セル報知エンティティ５００は、セル報知センタ４００に、メッセージ配信要求(Emergency Broadcast Request)を送信する（ステップＳ１００４）。
【００７２】
セル報知センタ４００は、セル報知エンティティ５００からメッセージ配信要求を受信したことを契機として、該メッセージ配信要求の対象となるメッセージの優先度を判定する。セル報知センタ４００は、メッセージの優先度に基づいて、該メッセージ配信要求に、該優先度に対応するメッセージ識別子を付与する（ステップＳ１００６）。
【００７３】
セル報知センタ４００は、交換局３００に、メッセージ識別子が付与されたメッセージ配信要求(Write Replace Warning Request)を送信する（ステップＳ１００８）。
【００７４】
交換局３００は、セル報知センタ４００からメッセージ配信要求を受信すると、該セル報知センタ４００に、メッセージ配信応答(Write Replace Warning Response)を送信する（ステップＳ１０１０）。該メッセージ配信応答を受信したセル報知センタ４００は、セル報知エンティティ５００にメッセージ配信応答(Emergency Broadcast Response)を送信する（ステップＳ１０１２）。
【００７５】
交換局３００は、基地局２００に、セル報知センタ４００からのメッセージ配信要求(Write Replace Warning Request)を転送する（ステップＳ１０１４）。
【００７６】
配信対象のエリアの基地局２００は、報知情報の送信を開始する（ステップＳ１０１６）。配信対象のエリアであるかどうかは、警告エリアリストに含まれる情報と、当該基地局２００により保持している情報とを比較し、一致する場合に、配信エリアであると判定する。また、例えば、基地局２００は、交換局３００を介して通知されたメッセージ配信要求(Write Replace Warning Request)に、警告タイプ、警告セキュリティ情報、データコーディングスキーム、警告メッセージコンテンツが含まれるかどうかを確認する。該基地局２００は、警告タイプが含まれる場合には、報知情報に含まれる「システムインフォメーション(SIB: System Information Block)１０」の送信を開始する。また、該基地局２００は、警告セキュリティ情報、データコーディングスキーム、警告メッセージコンテンツが含まれる場合には、報知情報に含まれる「システムインフォメーション１１」の送信を開始する。また、システムインフォメーションブロック１０、１１の配信を行う際に、報知情報に含まれるべきシステムインフォメーション１に含まれる情報を変更し、再度送信するようにしてもよい。例えば、システムインフォメーションに含まれる情報であるSchedulingInfoを変更し、再度送信するようにしてもよい。
【００７７】
配信対象のエリアの基地局２００は、配信すべきメッセージを変更する場合には、ページング(Paging)を送信する（ステップＳ１０１８）。該ページングによりメッセージが変更されることをユーザ端末１００に通知できる。例えば、ページングに含まれる情報要素、例えばetws-IndicationをTrueに設定し、ユーザ端末１００に通知する。該ページングを受信したユーザ端末１００は、システムインフォメーションブロック１のSchedulingInfoを確認し、システムインフォメーション１０、１１の受信を試行する。
【００７８】
ここで、基地局２００は、図８で説明したとおり、優先度に応じたメッセージ配信順序の制御を行う。
【００７９】
メッセージの配信が終了した基地局２００は、交換局３００に、配信要求応答(Write Replace Warning Response)を送信する（ステップＳ１０２０）。
【００８０】
図１１は、配信結果に基づいて設定されるべき情報要素の例を示す。
【００８１】
メッセージが配信されることにより、メッセージ識別子、シリアルナンバ、配信完了エリアリストが設定される。
【００８２】
上述した実施例では、LTEに従って無線通信を行うシステムを例として説明したが、好適には、配信すべきメッセージに、該優先度を識別するための情報要素が含まれないことが規定されたシステムに適用できる。例えば、LTE以降のシステムに適用されてもよい。この場合、メッセージの配信順序に関する優先度を識別する情報として、メッセージを識別するための情報を利用できる。
【００８３】
＜変形例＞
本変形例に従った緊急メッセージ配信システムについて説明する。
【００８４】
本緊急メッセージ配信システムでは、セル報知センタ４００は、メッセージ配信要求（Emergency Broadcast Request）に、メッセージ識別子を付加する際に、該メッセージ配信要求の送信元であるセル報知エンティティ５００のIPアドレスに対応するメッセージ識別子を付加する。本変形例では、メッセージ配信要求の送信元であるセル報知エンティティ５００のIPアドレスと、該メッセージ配信要求に付加すべきメッセージ識別子との対応は予め設定されている。セル報知センタ４００は、配信先エリアに対応する交換局３００に、メッセージ配信要求(Write Replace Warning Request)を送信する。
【００８５】
MME３００の動作については、上述した実施例と同様である。
【００８６】
基地局２００は、交換局３００からのメッセージ配信要求に応じて、ユーザ端末１００に、メッセージを報知する。該メッセージには、緊急メッセージが含まれる。メッセージを報知する際に、基地局２００は、交換局３００からのメッセージ配信要求(Write Replace Warning Request)に含まれるメッセージ識別子に関連づけられた優先度と、配信中のメッセージのメッセージ識別子に関連づけられた優先度とを比較する。なお、配信中メッセージがなければ（すなわち、メッセージ配信が未完了のメッセージがなければ）、比較を行わなくてもよい。該比較結果に基づいて、メッセージ配信要求に含まれるメッセージ識別子に関連づけられた優先度より、配信中のメッセージのメッセージ識別子に関連づけられた優先度の方が高い場合、配信中のメッセージの配信を継続する。配信中のメッセージのメッセージ識別子に関連づけられた優先度より、メッセージ配信要求に含まれるメッセージ識別子に関連づけられた優先度の方が高い場合、配信中のメッセージの配信を中止し、メッセージ配信要求に対応するメッセージを配信する。
【００８７】
本緊急メッセージ配信システムでは、メッセージの配信順序に関する優先度と、メッセージ識別子とを対応付ける。基地局２００は、該メッセージ識別子に対応するメッセージの優先度を特定できる。したがって、別途、優先度を識別するための情報要素を要することなく、該特定された優先度に基づいて、基地局２００は、優先して配信すべきメッセージを優先して配信できる。
【００８８】
＜本実施例及び本変形例の効果＞
LTEを対象するETWSでは、3Gのカテゴリ識別子に相当する、配信すべきメッセージの優先度を識別するための情報要素が含まれていない。したがって、配信すべきメッセージの優先度を明確にすることができない。配信すべきメッセージの優先度を明確にすることができないため、メッセージの配信中に、他のメッセージの配信要求が受信された場合、基地局では、以下の処理が行われると想定される。
【００８９】
基地局は、配信中のメッセージの配信終了を待たずに、配信要求された他のメッセージの配信を開始する処理（後発メッセージを優先）、又は配信中のメッセージの配信が終了してから、配信要求された他のメッセージの配信を開始する処理（先発メッセージを優先）を行う。
【００９０】
後発メッセージを優先する場合、優先度の高いメッセージを配信していた場合でも、該優先度の高いメッセージの配信が中止される問題がある。先発メッセージを優先する場合、優先度の低いメッセージの配信中に、優先度の高い他のメッセージの配信要求が受信された場合でも、優先度の低いメッセージの配信が終了してから、優先度の高いメッセージの配信が行われることになるため、優先度の高いメッセージの配信が遅れる問題がある。この場合、優先度の高いメッセージは、４秒以内に、ユーザ端末に到達させなければならないという条件を満たすことは困難となる。
【００９１】
本実施例によれば、メッセージ配信要求に含まれるべき情報要素に、配信すべきメッセージの優先度を識別するための情報要素が含まれていない場合でも、配信すべきメッセージの優先制御を行うことができる。
【００９２】
本実施例に従ったメッセージの配信順序を制御する方法は、報知情報を使用して一斉に同報配信するシステムに適用できる。
【００９３】
本メッセージ配信システムは、
LTEに従って無線通信を行うユーザ端末に、メッセージを配信するメッセージ配信システムであって、
当該メッセージ配信システムは、セル報知センタと、基地局とを有し、
前記セル報知センタは、
メッセージの配信を要求するためのメッセージ配信要求から、該メッセージ配信要求の発信元の識別子を取得する発信元識別子取得部と、
基地局によりメッセージが配信されるべき順番を制御するための優先度と対応付けられ、且つメッセージに付加すべきメッセージを識別するためのメッセージ識別情報と、メッセージ配信要求の発信元の識別子とを対応付けた第１のテーブルと、
該第１のテーブルから、前記発信元識別子取得部により取得された発信元の識別子に対応するメッセージ識別情報を選択するメッセージ識別情報選択部と、
該メッセージ識別情報選択部により選択されたメッセージ識別情報を含むメッセージを作成するメッセージ作成部と、
基地局に、前記メッセージ作成部により作成されたメッセージを送信する送信部と
を有し、
前記基地局は、
前記セル報知センタからのメッセージに含まれるメッセージ識別情報を取得するメッセージ識別情報取得部と、
メッセージ識別情報と、メッセージを配信すべき順番を制御するための優先度と対応付けた第２のテーブルと、
該第２のテーブルから、前記メッセージ識別情報取得部により取得されたメッセージ識別情報に対応する優先度を取得する優先度取得部と、
該優先度取得部により取得された優先度に従って、メッセージの配信順序を制御する配信制御部と
を有する。
【００９４】
さらに、
前記メッセージ識別情報は、緊急メッセージが配信される際に、交換局から基地局へ通知されるべきメッセージ配信要求(Write Replace Warning Request)としての、メッセージに含まれる情報要素に含まれる。
【００９５】
さらに、
前記メッセージ識別情報には、メッセージを識別するメッセージ識別子又はシリアルナンバが含まれる。
【００９６】
本基地局は、
LTEに従って無線通信を行うユーザ端末に、メッセージを配信する基地局であって、
セル報知センタからのメッセージに含まれるメッセージ識別情報を取得するメッセージ識別情報取得部と、
メッセージ識別情報と、メッセージを配信すべき順番を制御するための優先度と対応付けた第２のテーブルと、
該第２のテーブルから、前記メッセージ識別情報取得部により取得されたメッセージ識別情報に対応する優先度を取得する優先度取得部と、
該優先度取得部により取得された優先度に従って、メッセージの配信順序を制御する配信制御部と
を有する。
【００９７】
本メッセージ配信方法は、
LTEに従って無線通信を行うユーザ端末に、メッセージを配信するメッセージ配信システムにおけるメッセージ配信方法であって、
当該メッセージ配信システムは、セル報知センタと、基地局とを有し、
前記セル報知センタは、
メッセージの配信を要求するためのメッセージ配信要求から、該メッセージ配信要求の発信元の識別子を取得する発信元識別子取得ステップと、
基地局によりメッセージが配信されるべき順番を制御するための優先度と対応付けられ、且つメッセージに付加すべきメッセージを識別するためのメッセージ識別情報と、メッセージ配信要求の発信元の識別子とを対応付けた第１のテーブルから、前記発信元識別子取得ステップにより取得された発信元の識別子に対応するメッセージ識別情報を選択するメッセージ識別情報選択ステップと、
該メッセージ識別情報選択ステップにより選択されたメッセージ識別情報を含むメッセージを作成するメッセージ作成ステップと、
基地局に、前記メッセージ作成ステップにより作成されたメッセージを送信する送信ステップと
を有し、
前記基地局は、
前記セル報知センタからのメッセージに含まれるメッセージ識別情報を取得するメッセージ識別情報取得ステップと、
メッセージ識別情報と、メッセージを配信すべき順番を制御するための優先度と対応付けた第２のテーブルから、前記メッセージ識別情報取得ステップにより取得されたメッセージ識別情報に対応する優先度を取得する優先度取得ステップと、
該優先度取得ステップにより取得された優先度に従って、メッセージの配信順序を制御する配信制御ステップと
を有する。
【００９８】
さらに、
前記メッセージ識別情報は、緊急メッセージが配信される際に、交換局から基地局へ通知されるべきメッセージに含まれる情報要素に含まれる。
【００９９】
さらに、
前記メッセージ識別情報には、メッセージを識別するメッセージ識別子又はシリアルナンバが含まれる。
【０１００】
本メッセージ配信方法は、
LTEに従って無線通信を行うユーザ端末に、メッセージを配信する基地局におけるメッセージ配信方法であって、
セル報知センタからのメッセージに含まれるメッセージ識別情報を取得するメッセージ識別情報取得ステップと、
メッセージ識別情報と、メッセージを配信すべき順番を制御するための優先度と対応付けた第２のテーブルから、前記メッセージ識別情報取得ステップにより取得されたメッセージ識別情報に対応する優先度を取得する優先度取得ステップと、
該優先度取得部により取得された優先度に従って、メッセージの配信順序を制御する配信制御ステップと
を有する。
【０１０１】
説明の便宜上、発明の理解を促すため具体的な数値例を用いて説明されるが、特に断りのない限り、それらの数値は単なる一例に過ぎず適切な如何なる値が使用されてよい。
【０１０２】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【０１０３】
１００  ユーザ端末(UE: User Equipment)
２００  基地局(eNB: eNodeB)
２０２  下りリンク信号受信部
２０４  上りリンク信号送信部
２０６  制御部
２０６２  メッセージ識別子取得部
２０６４  優先度取得部
２０６６  配信メッセージ選択部
３００  交換局(MME: Mobility Management Entity)
４００  セル報知センタ(CBC: Cell Broadcast Center)
４０２  下りリンク信号受信部
４０４  上りリンク信号送信部
４０６  制御部
４０６２  発信元識別子取得部
４０６４  メッセージ識別子選択部
４０６６  下りリンク信号作成部
４０８  指示部
４１０  情報管理部
４１２  下りリンク信号送信部
４１４  上りリンク信号受信部
５００  セル報知エンティティ(CBC: Cell Broadcast Entity)
【図１】
0005111632.tif 000002
【図２】
0005111632.tif 000003
【図３】
0005111632.tif 000004
【図４】
0005111632.tif 000005
【図５】
0005111632.tif 000006
【図６】
0005111632.tif 000007
【図７】
0005111632.tif 000008
【図８】
0005111632.tif 000009
【図９】
0005111632.tif 000010
【図１０】
0005111632.tif 000011
【図１１】
0005111632.tif 000012